(57)【要約】【課題】ドアにラッチ装置を取り付けるため、ドア枠に二段凹部をトリマーにより正確に容易に加工するために、二段掘り定規及び二段掘り方法を提供する。【解決手段】板状の定規本体２３の背面をドア枠３に沿って仮止め機構３３により仮止めし、定規本体２３に開口された窓３５からドア枠３の二段凹部７を掘る位置を露出させ、この窓３５の周囲に形成された四角形のガイド凹部３７の底に、トリマー１３のガイドベース１９の底面を当接し、回転刃１７を回転させトリマー１３を移動させガイドベース１９の縁をガイド凹部３７の内周縁へ接触させてガイドを行いながら、二段凹部７の広い一段目を掘る。次に、トリマー１３の回転刃１７の突出量を大きくし、ガイド凹部３７の内周縁部に、蝶番３９を回動してコの字状ガイド４１を装着し、これにより狭まった範囲で前記ガイドを行いながら、二段凹部７の狭い二段目を掘る。【選択図】図1
2005074825.tif 000002
【特許請求の範囲】
【請求項１】
ドアのラッチ装置の受け部をドア枠に取り付ける際に、前記ドア枠に四角形の平面形状の二段凹部を、トリマーの四角形のガイドベースの中央から突出する回転刃によって掘るため、前記ドア枠に当接される前記ガイドベースをガイドするための定規であって、
板状の定規本体と、この定規本体の背面を前記ドア枠に沿って仮止めするための仮止め機構と、前記定規本体に開口され前記ドア枠の前記二段凹部を掘る位置を露出する窓と、この窓の周囲に形成され前記ガイドベースの底面が当接され前記ガイドを行う四角形のガイド凹部と、このガイド凹部の内周縁部に着脱可能に備えられ前記ガイドベースがガイドされる範囲を狭めるコの字状、あるいはロの字状ガイドと、を有することを特徴とするトリマー用ドア枠二段掘り定規。
【請求項２】
前記コの字状、あるいはロの字状ガイドは、前記ガイド凹部の縁部に蝶番を介して着脱可能に設けられたことを特徴とする請求項１に記載のトリマー用ドア枠二段掘り定規。
【請求項３】
ドアのラッチ装置の受け部をドア枠に取り付ける際に、前記ドア枠に四角形の平面形状の二段凹部を、トリマーの四角形のガイドベースの中央から突出する回転刃によって掘るため、前記ドア枠に当接される前記ガイドベースをガイドするための請求項１に記載の定規を用いた二段掘り方法であって、
板状の定規本体の背面を前記ドア枠に沿って仮止め機構により仮止めし、前記定規本体に開口された窓から前記ドア枠の前記二段凹部を掘る位置を露出する工程と、この窓の周囲に形成された四角形のガイド凹部の底に、前記ガイドベースの底面を当接し、前記回転刃を回転させ前記トリマーを移動させ前記ガイドベースの縁を前記ガイド凹部の内周縁へ接触させて前記ガイドを行いながら前記二段凹部の広い一段目を掘る工程と、前記回転刃の突出量を大きくた前記トリマーを用い、前記ガイド凹部の内周縁部に前記コの字状、あるいはロの字状ガイドを装着し狭まった範囲で前記ガイドを行いながら前記二段凹部の狭い二段目を掘る工程と、を有することを特徴とするトリマー用ドア枠二段掘り方法。
【発明の詳細な説明】
【技術分野】
【０００１】
この発明は、ドアのラッチ装置の受け部をドア枠に取り付けるために、ドア枠に四角形の平面形状の二段凹部を掘るための技術に関し、特に、二段凹部をトリマーの四角形のガイドベースの中央から突出する回転刃によって掘る際のガイドベースをガイドするための定規の構造、及び掘る方法に関する。
【背景技術】
【０００２】
従来のドアのラッチ装置は、ドア扉にハンドルやシリンダーの回動とともに出没動作するラッチ部と、このラッチ部をドア枠で受ける受け部１(図６参照)とからなる。この受け部１をドア枠３に取り付ける際には、ドア枠３に、受け部１を構成する金具５，６を埋め込む凹部７を掘る。この凹部７は、通常、四角形の平面形状を有し、広く浅い第１の凹部７Ａと、この第１の凹部７Ａの中に掘られる狭くて深い第２の凹部７Ｂの二段構造を有する。
このような２段凹部７は、手作業の際には鑿や錐で掘られ、補助として携帯用の電動ドリルが用いられることがある。
【０００３】
また、このような携帯用の電動工具の一種として、トリマーと呼ばれる工具がある。トリマーは、モータで回転する回転軸の先端に回転刃が取り付けられている。回転刃は、四角形のガイドベースの中央から突出する。ガイドベースは、被加工木材の表面に当接され、よって、回転刃の突出量により決定する深さの凹部が掘られる。この突出量は変えられる。また、回転刃の直径の大きさも変えられる。
このトリマーによる凹部の加工を正確に行うために、水平方向及び垂直方向へのガイドを行う定規を備えた次の装置が提案されている。
【特許文献１】特開２００２−０２８９０１
【発明の開示】
【発明が解決しようとする課題】
【０００４】
しかしながら、以上の技術によれば、仮に、ドア枠の二段凹部を特開２００２−０２８９０１の装置で加工しようとすると、まずドア枠に装置を固定し、次に水平方向の定規や垂直方向へ定規の位置を位置決めする作業が必要であり、面倒であった。
そこで、この発明は、水平方向の定規や垂直方向へ定規の位置決め作業が無用なトリマー用ドア枠二段掘り定規及び二段掘り方法を提供することを課題とする。
【課題を解決するための手段】
【０００５】
以上の課題を解決するために、第一発明は、ドアのラッチ装置の受け部をドア枠に取り付ける際に、前記ドア枠に四角形の平面形状の二段凹部を、トリマーの四角形のガイドベースの中央から突出する回転刃によって掘るため、前記ドア枠に当接される前記ガイドベースをガイドするための定規であって、
板状の定規本体と、この定規本体の背面を前記ドア枠に沿って仮止めするための仮止め機構と、前記定規本体に開口され前記ドア枠の前記二段凹部を掘る位置を露出する窓と、この窓の周囲に形成され前記ガイドベースの底面が当接され前記ガイドを行う四角形のガイド凹部と、このガイド凹部の内周縁部に着脱可能に備えられ前記ガイドベースがガイドされる範囲を狭めるコの字状、あるいはロの字状ガイドと、を有することを特徴とするトリマー用ドア枠二段掘り定規である。
第二発明は、前記コの字状、あるいはロの字状ガイドは、前記ガイド凹部の縁部に蝶番を介して着脱可能に設けられたことを特徴とするトリマー用ドア枠二段掘り定規。
第三発明は、ドアのラッチ装置の受け部をドア枠に取り付ける際に、前記ドア枠に四角形の平面形状の二段凹部を、トリマーの四角形のガイドベースの中央から突出する回転刃によって掘るため、前記ドア枠に当接される前記ガイドベースをガイドするための請求項１に記載の定規を用いた二段掘り方法であって、
板状の定規本体の背面を前記ドア枠に沿って仮止め機構により仮止めし、前記定規本体に開口された窓から前記ドア枠の前記二段凹部を掘る位置を露出する工程と、この窓の周囲に形成された四角形のガイド凹部の底に、前記ガイドベースの底面を当接し、前記回転刃を回転させ前記トリマーを移動させ前記ガイドベースの縁を前記ガイド凹部の内周縁へ接触させて前記ガイドを行いながら前記二段凹部の広い一段目を掘る工程と、前記回転刃の突出量を大きくた前記トリマーを用い、前記ガイド凹部の内周縁部に前記コの字状、あるいはロの字状ガイドを装着し狭まった範囲で前記ガイドを行いながら前記二段凹部の狭い二段目を掘る工程と、を有することを特徴とするトリマー用ドア枠二段掘り方法である。
【発明の効果】
【０００６】
第一、第二、または第三発明によれば、受け部の金具に応じた大きさのガイド凹部やコの字状ガイドをあらかじめ設定しておけば、トリマー用ドア枠二段掘り定規をドア枠に沿って仮止め機構により仮止めすることで、直ちにトリマーによって、二段凹部の一段目を掘ることができ、次に、コの字状ガイドを容易に装着し、トリマーの回転刃の突出量を大きくして二段目を掘ることができ、従って、従来のような水平方向の定規や垂直方向へ定規の位置決め作業が無用であり、作業を簡単にできる。
第二発明によれば、更に、蝶番でコの字状ガイドを容易に装着できる。
【発明を実施するための最良の形態】
【０００７】
この発明の実施形態を、図１〜図６に示す。
図６に示すように、ドアのラッチ装置の受け部１をドア枠３に取り付ける際に、受け部１を構成する金具５、６を埋め込むための四角形の平面形状の二段凹部７を、ドア枠３に掘る。一方の金具５は、ドア扉から出没動作するラッチ部を受ける開口部５Ａと、ネジ穴５Ｂを有する。他方の金具６は、一方の金具５の開口部５Ａからラッチ部が侵入できる凹部６Ａと、ネジ穴６Ｂを有する。
ドア枠３は、ドア扉の外側寸法とほぼ同じ内側寸法を有する外木枠９と、この木枠の内周囲に固定され、ドア扉の縁に当接する内木枠１１とを有する。二段凹部７は、内木枠１１の近くの位置で外木枠９に、形成される。
【０００８】
この掘る加工を行うために、トリマー１３と呼ばれる携帯用の電動工具を用いる。このトリマー１３は、モータで回転する回転軸１５の先端に回転刃１７が取り付けられている。この回転刃１７は、回転軸１５と直交する位置にトリマー本体１８に設けられる四角形のガイドベース１９の中央の開口から、突出する。ガイドベース１９は、被加工木材の表面に当接され、当接された状態でトリマー１３は移動し、よって、回転刃１７の突出量により決定する深さの凹部が掘られる。この回転刃１７の突出量は、トリマー本体１８に対するガイドベース１９の位置を上下することで、変えられる。また、回転刃１７も取り替えられ、よって回転刃１７の直径の大きさも変えられる。この実施形態では、回転刃１７の突出量を小さくし、直径の大きな回転刃１７を取り付けたトリマー１３Ｂと、回転刃１７の突出量を大きくし、直径の小さな回転刃１７を取り付けたトリマー１３Ａと、を準備した。
【０００９】
この実施形態の定規２１は、トリマー１３のガイドベース１９をガイドするための定規である。定規本体２３は板状をなし、図２-２に示すように定規本体２３の背面には、外木枠９と内木枠１１に一方の側から嵌合する凹凸２５が形成される。また、定規本体２３の木枠と直交する両側縁２７には、ハタ金と呼ばれるクランプ２９の一端が固定され、クランプ２９の他端の押圧部３１が外木枠９と内木枠１１に他方の側を押圧する。したがって、クランプ２９は外木枠９と内木枠１１を両側からクランプし、よって、定規本体２３はドア枠３に沿って仮止めされる。このようにして、凹凸２５とクランプ２９によって、仮止め機構３３が構成される。
【００１０】
定規本体２３の中央部には、ドア枠３の二段凹部７を掘る位置を露出する窓３５が、開口される。この窓３５からトリマー１３の回転刃１７が、二段凹部７を掘る。窓３５は大きめに形成され、トリマー１３の回転刃１７は窓３５の縁には接触しない。
この窓３５の周囲にガイド凹部３７が形成されされる。ガイド凹部３７の底には、トリマー１３のガイドベース１９の底面が当接される。また、ガイド凹部３７の内周縁へ、トリマー１３のガイドベース１９の縁を接触させて、掘る凹部の平面形状が定められるガイドを行う。
ガイド凹部３７の縁部には、蝶番３９を介して、コの字状ガイド４１が設けられる。コの字状ガイド４１は、この蝶番３９による回動によって、ガイド凹部３７への着脱が可能となる。蝶番３９を閉じ、コの字状ガイド４１をガイド凹部３７へ装着すると、ガイドベース１９がガイドされる範囲を狭め、狭い範囲で凹部が掘られる。
【００１１】
（手順）
まず、板状の定規本体２３の背面を、ドア枠３に沿って仮止め機構３３により仮止めする。この仮止めの際に、定規本体２３に開口された窓３５から、ドア枠３の二段凹部７を掘る位置を露出する。次に、回転刃１７の突出量を小さくし、直径の大きな回転刃１７を取り付けたトリマー１３Ｂを用い、回転刃１７を回転させ、この窓３５の周囲に形成された四角形のガイド凹部３７の底に、トリマー１３のガイドベース１９の底面を当接し、回転する回転刃１７で、凹部を掘る。掘りながらトリマー１３を移動させ、ガイドベース１９の縁をガイド凹部３７の内周縁へ接触させて、平面状での移動をガイドし、掘る凹部の平面形状が定める。このようにして、ガイドを行いながら、二段凹部７の広い一段目７Ａを掘る。
【００１２】
一段目を掘り終えると、回転刃１７の突出量を大きくし、直径の小さな回転刃１７を取り付けたトリマー１３Ａに交換し、蝶番３９を回動させてガイド凹部３７の内周縁部へコの字状ガイド４１を装着し、ガイド凹部３７の狭まった範囲で、トリマー１３の移動のガイドを行い、二段凹部７の狭い二段目７Ｂを掘る。
【００１３】
「実施形態の効果」
受け部１の金具５、６の大きさは共通のものが多いので、その大きさに応じたガイド凹部３７やコの字状ガイド４１をあらかじめ設定しておけば、作業が容易になる。つまり、この実施形態のトリマー用ドア枠二段掘り定規２１をドア枠３に沿って仮止め機構３３により仮止めすることで、直ちにトリマー１３Ｂによって、二段凹部７の一段目７Ａを掘ることができる。次に、蝶番３９によって回動できるコの字状ガイド４１をガイド凹部３７に装着し、回転刃１７の突出量を大きくしたトリマー１３Ａを使って、容易に二段目７Ｂを掘ることができる。従って、従来のような水平方向の定規や垂直方向へ定規の位置決め作業が無用であり、作業を簡単にできる。
【００１４】
「他の実施形態」
図１の実施形態では、 コの字状ガイド４１をガイド凹部３７の内周縁部へ着脱するために、蝶番３９を用いたが、他の実施形態では、スライド機構でも良い。すなわち、ガイド凹部３７の四方のうち一方向を連続的に開放し、この開放部分にコの字状ガイド４１を、スライド機構によりスライド可能に設けることができる。
更に他の実施形態では、コの字状ガイド４１を別体の分離したものとしても良い。着脱の際には、コの字状ガイド４１を指でつまんで、ガイド凹部３７へ装着したり、外したりできる。
【００１５】
また、図１の実施形態では、ガイドベース１９がガイドされるガイド凹部３７の範囲を狭めるためにコの字状ガイド４１を用いたが、他の実施形態ではロの字状ガイド４１を用いてもかまわない。すなわち、ガイド凹部３７の内周縁部へ四角形の枠からなるロの字状ガイド４１を装着することもできる。
また、図１の実施形態では、回転刃１７の突出量を小さくし、直径の大きな回転刃１７を取り付けたトリマー１３と、回転刃１７の突出量を大きくし、直径の小さな回転刃１７を取り付けたトリマー１３と、の二つのトリマー１３を用いたが、他の実施形態では、一つのトリマー１３で、回転刃１７を交換し、回転刃１７の突出量を変えて、用いることも可能である。
【図面の簡単な説明】
【００１６】
【図１】（Ａ）は回転刃１７の突出量を大きくし、直径の小さな回転刃１７を取り付けたトリマー１３Ａの斜視図、（Ｂ）は回転刃１７の突出量を小さくし、直径の大きな回転刃１７を取り付けたトリマー１３Ｂの斜視図、（Ｃ）はこの発明の一実施形態に係るトリマー用ドア枠二段掘り定規の斜視図である。
【図２】（Ａ）は図１（Ｃ）のトリマー用ドア枠二段掘り定規の作用を示すもので、コの字状ガイドを装着した状態を示す平面図、（Ｂ）は同様に作用を示すもので、コの字状ガイドを外した状態を示す平面図である。
【図２−２】図２（Ａ）のトリマー用ドア枠二段掘り定規を下方向から見て、その背面に設けられる仮止め機構を示す斜視図である。
【図３】図２（Ｂ）の状態のトリマー用ドア枠二段掘り定規でトリマー１３Ｂをガイドし凹部を掘る動作を示す斜視図である。
【図４】図３の動作で掘られた凹部を示す斜視図である。
【図５】図２（Ａ）の状態のトリマー用ドア枠二段掘り定規でトリマー１３Ａをガイドし凹部を掘る動作を示す斜視図である。
【図６】図５の動作で掘られた凹部を示す斜視図である。
【符号の説明】
【００１７】
１…部、３…ドア枠、５…金具、７…二段凹部、９…外木枠、１１…内木枠、１３…トリマー、１５…回転軸、１７…回転刃、１９…ガイドベース、２１…定規、２３…定規本体、２５…凹凸、２７…側縁、２９…クランプ、３１…押圧部、３３…機構、３５…窓、３７…ガイド凹部、３９…蝶番、４１…字状ガイド。
【図１】
2005074825.tif 000003
【図２】
2005074825.tif 000004
【図２−２】
2005074825.tif 000005
【図３】
2005074825.tif 000006
【図４】
2005074825.tif 000007
【図５】
2005074825.tif 000008
【図６】
2005074825.tif 000009